(57)【要約】【課題】高性能で高コストな素子を用いないで、信頼性を損なわずに、複数系統の異なる番組のＴＳから所望の番組データを同時に取得できるデジタル放送受信装置を提供する。【解決手段】トランスポートストリーム（ＴＳ）を出力するチューナ／復調部２と、選局処理時にパケット識別子（ＰＩＤ）により選別されたパケットを含むＴＳの転送レートを低減させるＴＳ転送レート変換部３と、そのＴＳをパケット単位で分離させて出力するデマルチプレクサ部４と、デマルチプレクサ部４で分離された番組特定情報（ＰＳＩ）のパケットの指定情報から検出されたＰＩＤをＴＳ転送レート変換部３に送出する制御部５と、ＴＳ転送レート変換部３で選別されるパケットの指定用のＰＩＤを記憶する選択ＰＩＤ記憶部１０４と、制御部５で検出されたＰＩＤを選択ＰＩＤ記憶部１０４に記憶させるＰＩＤ管理部１１とを有する。【選択図】図１
2008004979.tif 000002
【特許請求の範囲】
【請求項１】
デジタル放送信号を受信して復調することでＭＰＥＧ規格に規定されたトランスポートストリーム（ＴＳ）を出力するチューナ／復調部と、
少なくとも選局処理時には、予め記憶されたパケット識別子（ＰＩＤ）により指定されるパケットを前記復調されたＴＳから選別し、該選別されたパケットのみを含むＴＳの転送レートを、低減させて出力するＴＳ転送レート変換部と、
前記ＴＳ転送レート変換部から出力されたＴＳをパケット単位で分離させ、各パケットの種類に対応させて異なる出力先に出力するデマルチプレクサ部と、
前記各部を含む装置全体を制御すると共に、少なくとも前記デマルチプレクサ部で分離された番組特定情報（ＰＳＩ）のパケットを解析して、該パケット内に指定されているパケットの情報からＰＩＤを検出し、該ＰＩＤを前記ＴＳ転送レート変換部に送出する制御部と、
前記ＴＳ転送レート変換部で選別されるパケットを指定するためのＰＩＤを記憶する選択ＰＩＤ記憶部と、
前記制御部で検出されたＰＩＤを前記選択ＰＩＤ記憶部に記憶させるＰＩＤ管理部と
を有することを特徴とするデジタル放送受信装置。
【請求項２】
前記ＴＳ転送レート変換部には、
前記復調されたＴＳから予め記憶されたＰＩＤにより指定されるパケットを選別するパケットフィルタ部と、
前記選別されたパケットのみを含むＴＳを記憶する転送パケット記憶部と、
前記選別されたパケットのみを含むＴＳを通常の転送レートで前記転送パケット記憶部に一旦記憶させ、記憶したパケットを通常の転送レートよりも遅いレートで順次出力するパケット記憶／転送制御部と
を有することを特徴とする請求項１に記載のデジタル放送受信装置。
【請求項３】
選局開始時に、前記ＰＩＤ管理部が前記選択ＰＩＤ記憶部に記憶させる常時固定値のＰＩＤを予め記憶する固定ＰＩＤ記憶部を有する
ことを特徴とする請求項２に記載のデジタル放送受信装置。
【請求項４】
（Ａ）選局処理の第１段階では、
前記ＰＩＤ管理部は、前記固定ＰＩＤ記憶部に予め記憶された常時固定値のＰＩＤを前記選択ＰＩＤ記憶部に記憶させ、
前記ＴＳ転送レート変換部は、前記ＰＳＩ中の少なくともプログラム・アソシエーション・テーブル（ＰＡＴ）のパケットを含む常時固定ＰＩＤのパケットのみを抽出し、該常時固定ＰＩＤのパケットのみのＴＳの転送レートを低減させて前記デマルチプレクサ部に出力し、
前記デマルチプレクサ部は、前記常時固定ＰＩＤのパケットのみのＴＳからＰＡＴを含むパケットを分離させて制御部に出力し、
前記制御部は、前記ＰＡＴを含むパケットを解析してプログラムマップテーブル（ＰＭＴ）のパケットのＰＩＤを検出し、
（Ｂ）選局処理の第２段階では、
前記ＰＩＤ管理部は、前記検出されたＰＭＴのパケットのＰＩＤを前記選択ＰＩＤ記憶部に追加記憶させ、
前記ＴＳ転送レート変換部は、前記ＰＭＴのパケットのＰＩＤにより、ＰＳＩ中のＰＭＴのパケットを抽出し、前記常時固定ＰＩＤのパケットに加えて前記ＰＭＴのパケットを含むＴＳの転送レートを低減させて前記デマルチプレクサ部まで転送させ、
前記デマルチプレクサ部は、前記ＰＭＴのパケットを含むＴＳから前記ＰＭＴのパケットを分離させて出力し、
前記制御部は、前記デマルチプレクサ部で分離された前記ＰＭＴのパケットを解析して番組データのパケットのＰＩＤを検出し、
（Ｃ）選局処理の第３段階では、
前記ＰＩＤ管理部は、前記検出された番組データのパケットのＰＩＤを前記選択ＰＩＤ記憶部に追加記憶させ、
前記ＴＳ転送レート変換部は、前記検出された番組データのパケットのＰＩＤにより、前記番組データのパケットを抽出し、前記常時固定ＰＩＤのパケット及び前記ＰＭＴのパケットに加えて前記番組データのパケットを含むＴＳの転送レートを低減させて前記デマルチプレクサ部まで転送させ、
前記デマルチプレクサ部は、前記番組データのパケットを映像パケットと音声パケットに分離させて出力する
ことを特徴とする請求項３に記載のデジタル放送受信装置。
【請求項５】
前記選択ＰＩＤ記憶部には、予め常時固定値のＰＩＤが消去不可に記憶される
ことを特徴とする請求項２に記載のデジタル放送受信装置。
【請求項６】
（Ａ）選局処理の第１段階では、
前記ＰＩＤ管理部は、前記選択ＰＩＤ記憶部に予め記憶された常時固定値のＰＩＤを用い、
前記ＴＳ転送レート変換部は、前記ＰＳＩ中の少なくともＰＡＴのパケットを含む常時固定ＰＩＤのパケットのみを抽出し、該常時固定ＰＩＤのパケットのみのＴＳの転送レートを低減させて前記デマルチプレクサ部に出力し、
前記デマルチプレクサ部は、前記常時固定ＰＩＤのパケットのみのＴＳからＰＡＴを含むパケットを分離させて制御部に出力し、
前記制御部は、前記ＰＡＴを含むパケットを解析してＰＭＴのパケットのＰＩＤを検出し、
（Ｂ）選局処理の第２段階では、
前記ＰＩＤ管理部は、前記検出されたＰＭＴのパケットのＰＩＤを前記選択ＰＩＤ記憶部に追加記憶させ、
前記ＴＳ転送レート変換部は、前記ＰＭＴのパケットのＰＩＤにより、ＰＳＩ中のＰＭＴのパケットを抽出し、前記常時固定ＰＩＤのパケットに加えて前記ＰＭＴのパケットを含むＴＳの転送レートを低減させて前記デマルチプレクサ部まで転送させ、
前記デマルチプレクサ部は、前記ＰＭＴのパケットを含むＴＳから前記ＰＭＴのパケットを分離させて出力し、
前記制御部は、前記デマルチプレクサ部で分離された前記ＰＭＴのパケットを解析して番組データのパケットのＰＩＤを検出し、
（Ｃ）選局処理の第３段階では、
前記ＰＩＤ管理部は、前記検出された番組データのパケットのＰＩＤを前記選択ＰＩＤ記憶部に追加記憶させ、
前記ＴＳ転送レート変換部は、前記検出された番組データのパケットのＰＩＤにより、前記番組データのパケットを抽出し、前記常時固定ＰＩＤのパケット及び前記ＰＭＴのパケットに加えて前記番組データのパケットを含むＴＳの転送レートを低減させて前記デマルチプレクサ部まで転送させ、
前記デマルチプレクサ部は、前記番組データのパケットを映像パケットと音声パケットに分離させて出力する
ことを特徴とする請求項５に記載のデジタル放送受信装置。
【請求項７】
選局処理開始前に予め常時固定値のＰＩＤを記憶しておく工程と、
選局処理時に、
常時固定値のＰＩＤを用いて、ＰＳＩ中の少なくともプログラム・アソシエーション・テーブル（ＰＡＴ）のパケットを含む常時固定ＰＩＤのパケットのみを抽出する工程と、
前記常時固定ＰＩＤのパケットのみのＴＳを転送レートを低減させて出力する工程を少なくとも有する
ことを特徴とするデジタル放送受信装置の選局処理方法。
【請求項８】
選局処理時に、
最初に、前記選択ＰＩＤ記憶部に記憶されたＰＩＤをクリアする工程
をさらに有することを特徴とする請求項７に記載のデジタル放送受信装置の選局処理方法。
【請求項９】
選局処理開始前に予め常時固定値のＰＩＤを消去不可に記憶しておく工程と、
選局処理時に、
選択ＰＩＤ記憶部に予め記憶された常時固定値のＰＩＤを読み出す工程と、
常時固定値のＰＩＤを用いて、ＰＳＩ中の少なくともプログラム・アソシエーション・テーブル（ＰＡＴ）のパケットを含む常時固定ＰＩＤのパケットのみを抽出する工程と、
前記常時固定ＰＩＤのパケットのみのＴＳを転送レートを低減させて出力する工程を少なくとも有する
ことを特徴とするデジタル放送受信装置の選局処理方法。
【請求項１０】
選局処理時に、
最初に、常時固定値のＰＩＤを除く選択ＰＩＤ記憶部に記憶されたＰＩＤをクリアする工程
をさらに有することを特徴とする請求項９に記載のデジタル放送受信装置の選局処理方法。
【請求項１１】
前記常時固定ＰＩＤのパケットのみのＴＳからＰＡＴを含むパケットを分離させて出力する工程と、
前記ＰＡＴを含むパケットを解析してプログラムマップテーブル（ＰＭＴ）のパケットのＰＩＤを検出する工程と、
前記検出されたＰＭＴのパケットのＰＩＤを前記選択ＰＩＤ記憶部に追加記憶させる工程と、
前記ＰＭＴのパケットのＰＩＤにより、ＰＳＩ中のＰＭＴのパケットを抽出する工程と、
前記常時固定ＰＩＤのパケットに加えて前記ＰＭＴのパケットを含むＴＳを転送レートを低減させて出力する工程を更に有する
ことを特徴とする請求項７〜１０の何れかに記載のデジタル放送受信装置の選局処理方法。
【請求項１２】
前記ＰＭＴのパケットを含むＴＳから前記ＰＭＴのパケットを分離させて出力する工程と、
前記分離された前記ＰＭＴのパケットを解析して番組データのパケットのＰＩＤを検出する工程と、
前記検出された番組データのパケットのＰＩＤを追加記憶させる工程と、
前記検出された番組データのパケットのＰＩＤにより、前記番組データのパケットを抽出する工程と、
前記常時固定ＰＩＤのパケット及び前記ＰＭＴのパケットに加えて前記番組データのパケットを含むＴＳを転送レートを低減させて出力する工程と、
前記番組データのパケットを映像パケットと音声パケットに分離させて出力する工程とをさらに有することを特徴とする請求項１１に記載のデジタル放送受信装置の選局処理方法。
【発明の詳細な説明】
【技術分野】
【０００１】
本発明は、デジタル放送信号を受信するデジタル放送受信装置に関し、特に、ＭＰＥＧ規格に規定されたトランスポートストリーム（ＴＳ）形式で入力される番組データの転送レートを低減させた低レートに変換するデジタル放送受信装置に関する。
【背景技術】
【０００２】
近年、放送局から直接に送信されるか、あるいは、放送衛星、通信衛星又は地上中継局等を介して送信されるデジタルテレビジョン放送が実用化されている。その放送信号は、放送局側でＭＰＥＧ規格に規定された方法を用いて映像情報、音声情報および番組情報（番組配列情報ＳＩ／番組特定情報ＰＳＩ）等の付加情報を多重化したトランスポートストリームを、デジタル変調して送信している。
【０００３】
そのデジタル放送を受信するデジタル放送受信装置は、受信したテレビジョン放送信号を復調して得られたトランスポートストリームから、映像、音声、番組情報を分離して再生する構成になっている。
【０００４】
デジタル放送では、アナログ放送よりも多くのチャンネル送信が可能となるためユーザにとっては選局の幅が広がっている。このデジタル放送の多チャンネル化に伴い、複数チャンネルの同時表示または同時録画のニーズが高くなっており、その場合には、複数の番組データを同時に取得する必要がある。
【０００５】
従来の一般的なデジタル放送受信装置では、チューナ／復調部及びデマルチプレクサ部が各々１個ずつであるため、１系統の番組のＴＳしか処理することができず、複数の番組データを同時に取得することはできなかった。
【０００６】
この問題を解決するために、複数組のチューナ／復調部及びデマルチプレクサ部を実装させることで、複数系統の異なる番組のＴＳから所望の番組データを同時に取得できるようにしたデジタル放送受信装置が知られている（例えば、特許文献１参照）。
【０００７】
【特許文献１】特開２００２−１８５９０１号公報
【発明の開示】
【発明が解決しようとする課題】
【０００８】
しかし、特許文献１のように複数組のチューナ／復調部及びデマルチプレクサ部を実装させて、複数系統の異なる番組の番組データを同時に取得する場合には、その各番組データの復調／復号時等の様々な判断や暗号化解除等の処理を行う演算素子（マイクロプロセッサ等）の処理負荷も系統数の増加に従って倍増する。
特にＣＳ放送では、番組データの転送レートが高いので、複数系統の異なる番組の番組データを同時に取得する場合は演算素子の処理負荷が増大する。又、例えば、デジタル放送受信装置の選局処理時には、番組情報（番組配列情報ＳＩ／番組特定情報ＰＳＩ）等の付加情報から様々な情報を得て判断して処理する必要があり、演算素子の処理負荷が増大する。
【０００９】
処理負荷の増大に伴い高性能な（処理能力が高い）演算素子を用いた場合には、その高性能な演算素子によるコスト上昇は非常に大きく、デジタル放送受信装置のコストを顕著に上昇させることになる。又、特許文献１のように複数組のチューナ／復調部及びデマルチプレクサ部を実装させた場合にはそちらのコスト上昇も大きいので、高性能な演算素子の方のコスト上昇は可能な限り抑制できることが望まれる。
【００１０】
例えば、そのようなコスト上昇を抑制するために処理能力の高くない低コストの演算素子を用いた場合には、番組データの取得に失敗して番組の再生の異常、又は、録画の異常が発生する可能性があり、その場合にはデジタル放送受信装置としての信頼性が低下する。又、デマルチプレクサ部についても、複数系統をいくつか毎に集約させて処理させることや低処理能力で低コストの素子に変更することが考えられるが、やはり、パケットの分離に失敗して番組の再生の異常、又は、録画の異常が発生する可能性があり、その場合にも信頼性が低下する。
従って、デジタル放送受信装置としての信頼性を犠牲にしないで、複数系統の異なる番組のＴＳから所望の番組データを同時に取得する場合には、高性能で高コストな素子を用いることが必要であり、その場合には最終的に非常に高価なデジタル放送受信装置となってしまうという問題があった。
【００１１】
本発明は上記した問題を解決するために、高性能なことから高コストである素子を用いないで、信頼性を損なわずに、複数系統の異なる番組のＴＳから所望の番組データを同時に取得できるデジタル放送受信装置を提供することを目的とする。
【課題を解決するための手段】
【００１２】
本発明のデジタル放送受信装置は、
デジタル放送信号を受信して復調することでＭＰＥＧ規格に規定されたトランスポートストリーム（ＴＳ）を出力するチューナ／復調部と、
少なくとも選局処理時には、予め記憶されたパケット識別子（ＰＩＤ）により指定されるパケットを前記復調されたＴＳから選別し、該選別されたパケットのみを含むＴＳの転送レートを、低減させて出力するＴＳ転送レート変換部と、
前記ＴＳ転送レート変換部から出力されたＴＳをパケット単位で分離させ、各パケットの種類に対応させて異なる出力先に出力するデマルチプレクサ部と、
前記各部を含む装置全体を制御すると共に、少なくとも前記デマルチプレクサ部で分離された番組特定情報（ＰＳＩ）のパケットを解析して、該パケット内に指定されているパケットの情報からＰＩＤを検出し、該ＰＩＤを前記ＴＳ転送レート変換部に送出する制御部と、
前記ＴＳ転送レート変換部で選別されるパケットを指定するためのＰＩＤを記憶する選択ＰＩＤ記憶部と、
前記制御部で検出されたＰＩＤを前記選択ＰＩＤ記憶部に記憶させるＰＩＤ管理部とを有することを特徴とする。
【００１３】
又、本発明のデジタル放送受信装置の選局処理方法は、
選局処理開始前に予め常時固定値のＰＩＤを記憶しておく工程と、
選局処理時に、
常時固定値のＰＩＤを用いて、ＰＳＩ中の少なくともプログラム・アソシエーション・テーブル（ＰＡＴ）のパケットを含む常時固定ＰＩＤのパケットのみを抽出する工程と、
前記常時固定ＰＩＤのパケットのみのＴＳを転送レートを低減させて出力する工程と、
前記常時固定ＰＩＤのパケットのみのＴＳからＰＡＴを含むパケットを分離させて出力する工程を有することを特徴とする。
【発明の効果】
【００１４】
本発明は、選局処理時に予め記憶されたＰＩＤにより指定されるパケットを復調されたＴＳから選別し、その選別されたパケットのみを含むＴＳの転送レートを、遅くして出力することで、例えば選局処理等の各時点でデマルチプレクサの処理に必要なパケットが含まれたＴＳを低レートでデマルチプレクサに出力することができ、従って演算素子の処理量も減少させることができる。このことから本発明では、コストが高い高性能な素子を用いないでも、信頼性を損なわずに、複数系統の異なる番組のＴＳから所望の番組データを同時に取得できる。
【発明を実施するための最良の形態】
【００１５】
実施形態１．
図１は、この発明装置の実施形態１におけるデジタル放送受信装置のブロック図である。
図１において、アンテナ１は、不図示の放送局から直接送信されるか、あるいは、放送衛星、通信衛星又は地上中継局を介して送信されるデジタルテレビジョン放送の放送信号（デジタル放送信号）を受信する。尚、放送局では上記したように、ＭＰＥＧ規格に規定された方法を用いて映像情報、音声情報および番組情報（番組配列情報ＳＩ／番組特定情報ＰＳＩ）等の付加情報を多重化したトランスポートストリームを、デジタル変調して送信している。
【００１６】
チューナ／復調部２は、アンテナ１で受信したデジタル放送信号を復調することで、ＭＰＥＧ規格に規定されたトランスポートストリーム（ＴＳ）を出力する。
【００１７】
ＴＳ転送レート変換部３は、選局処理時に、チューナ／復調部２で復調されて出力されたＴＳから、予め記憶されたパケット識別子（ＰＩＤ）により指定されるパケットを選別し、その選別されたパケットのみを含むＴＳの転送レートを、低減させて出力する。
【００１８】
ＴＳ転送レート変換部３は、選局処理第１段階では、ＰＳＩ中の少なくともプログラム・アソシエーション・テーブル（ＰＡＴ）のパケットを含むＴＳをデマルチプレクサ部４まで転送させ、選局処理第２段階では、ＰＳＩ中の少なくともＰＭＴのパケットを含むＴＳをデマルチプレクサ部４まで転送させ、選局処理第３段階では、少なくとも検出された番組データのパケットを含むＴＳをデマルチプレクサ部４まで転送させる。選局処理第２段階では、ＰＭＴを含むパケットを分離させて出力し、選局処理第３段階では、番組データのパケットを分離させて出力する。
【００１９】
図２は、図１に示されるＴＳ転送レート変換部３の概略の内部構成を示すブロック図である。図３（ａ）、（ｂ）は、ＴＳ転送レート変換部３内のＴＳの例を示す図である。
ＴＳ転送レート変換部３の内部では、パケットフィルタ部１０１は、チューナ／復調部２で復調されたＴＳが入力されると、選択ＰＩＤ記憶部１０４に予め記憶（登録）されているＰＩＤのパケットを抽出してパケット記憶／転送制御部１０２に出力する。
結果的に、パケットフィルタ部１０１ではＴＳ転送レート変換部３に入力したＴＳ中から視聴対象番組以外の番組データを排除して出力するので、パケットフィルタ部１０１からパケット記憶／転送制御部１０２に出力されるＴＳは、排除された番組データのパケット部分が間隔として空いたものになる。この場合の出力されるＴＳは、例えば、図３（ａ）に示したようになる。
【００２０】
パケット記憶／転送制御部１０２は、入力されたＴＳのパケット（１８８バイト）を
例えばリングバッファのように構成される転送パケット記憶部１０３に通常の転送レート（ビットレート）で逐次蓄積（一時記憶）させる。蓄積されるＴＳは、例えば、図３（ａ）のＴＳが入力される場合には、図３（ｂ）に示したように蓄積される。図３（ａ）の最初のパケットＰＡＴ（１）が転送パケット記憶部１０３に書き込まれると、その書き込まれたパケットＰＡＴ（１）は読み出されてデマルチプレクサ部（４）に転送出力される。そのパケットＰＡＴ（１）の読み出し時の転送レートが書き込み時の転送レートよりも遅く設定されることでデマルチプレクサ部（４）に出力されるＴＳの転送レート（ビットレート）を低減させることができる。又、最初のパケットＰＡＴ（１）に続くパケットも書き込みが終了すると順に転送される。
【００２１】
転送パケット記憶部１０３は、パケットフィルタ部１０１で選別されたパケットのみを含むＴＳを記憶する。また、パケットフィルタ部１０１でパケットが選別されることによりパケット数が制限されるため、転送パケット記憶部１０３がＴＳ（パケット）のデータバッファとしてオーバーフローする問題を回避することができる。つまり、パケットフィルタ部１０１の処理により、転送パケット記憶部１０３へのパケットの書き込み処理が、パケットの転送処理を追い越してしまうことを防ぐことができる。
【００２２】
選択ＰＩＤ記憶部１０４は、ＴＳ転送レート変換部３のパケットフィルタ部１０１で選別されるパケットを指定するためのＰＩＤを記憶する。
【００２３】
デマルチプレクサ部４は、ＴＳ転送レート変換部３から出力されたＴＳを番組データ毎にパケット単位で分離させ、各パケットの種類に対応させて異なる出力先に出力する。デマルチプレクサ部４は、ＭＰＥＧ規格に規定されたＭＰＥＧ映像データについてはＭＰＥＧ映像データに出力し、ＭＰＥＧ音声データについてはＭＰＥＧ音声デコーダ部７に出力する。
【００２４】
デマルチプレクサ部４は、選局処理第１段階では、ＰＡＴを含むパケットを分離させて出力し、選局処理第２段階では、ＰＭＴを含むパケットを分離させて出力し、選局処理第３段階では、番組データのパケットを分離させて出力する。
【００２５】
制御部５は、例えば、マイクロプロセッサ等の演算素子であり、デジタル放送受信装置における各部を含む装置全体を制御すると共に、デマルチプレクサ部４で分離された番組特定情報（ＰＳＩ）のパケットを解析して、そのパケット内に指定されているパケットの情報からＰＩＤを検出し、検出されたＰＩＤをＴＳ転送レート変換部３に送出する。
【００２６】
制御部５は、選局処理第１段階では、デマルチプレクサ部４で分離されたＰＡＴを含むパケットを解析してプログラムマップテーブル（ＰＭＴ）のパケットのＰＩＤを検出し、選局処理第２段階では、デマルチプレクサ部４で分離されたＰＭＴのパケットを解析して番組データのパケットのＰＩＤを検出し、ＴＳ転送レート変換部３に送出する。
【００２７】
制御部５の内部では、ＰＩＤ管理部１１は、選局処理第１段階では、固定ＰＩＤ記憶部１２に予め記憶された常時固定値のＰＩＤを選択ＰＩＤ記憶部１０４に記憶させ、選局処理第２段階では、制御部５で検出されたＰＭＴのパケットのＰＩＤを選択ＰＩＤ記憶部１０４に記憶させ、選局処理第３段階では、検出された番組データのパケットのＰＩＤを選択ＰＩＤ記憶部１０４に記憶させる。
【００２８】
制御部５で検出されたＰＩＤを後述する選択ＰＩＤ記憶部１０４に記憶させる。
固定ＰＩＤ記憶部１２は、選局開始時にＰＩＤ管理部１１が選択ＰＩＤ記憶部１０４に記憶させる常時固定値のＰＩＤを予め記憶する。
【００２９】
図４は、図１のデジタル放送受信装置の選局処理を示すフローチャートである。
次に、図４に基づいて本実施の形態１の選局処理について説明する。
｛Ｚ１｝選局処理を開始する前に、固定ＰＩＤ記憶部１２には、予め常時固定値のＰＩＤを記憶させておく。
【００３０】
使用者の選局指示入力等により選局処理が開始されると、｛Ｚ２｝ＰＩＤ管理部１１は、前回の選局処理等で用いるために選択ＰＩＤ記憶部１０４に登録されていたＰＩＤをクリアし（Ｓ１）、チューナ／復調部２のチューナを、受信を目的とする番組の局が選局できるように設定する（Ｓ２）。
【００３１】
チューナの設定が終了すると、｛Ａ｝選局処理の第１段階として、｛Ａ１｝ＰＩＤ管理部１１では、固定ＰＩＤ記憶部１２に予め記憶された常時固定値のＰＩＤを選択ＰＩＤ記憶部１０４に記憶させる（Ｓ３）。常時固定値のＰＩＤは、選局対象の番組によらず常に固定のＰＩＤを有するセクションテーブル、例えば、ＰＡＴ、ＣＡＴ、ＮＩＴ等のパケットのＰＩＤである。
【００３２】
すると、｛Ａ２｝ＴＳ転送レート変換部３（パケットフィルタ部１０１）では、選択ＰＩＤ記憶部１０４の記憶内容に基づいて、常時固定ＰＩＤのパケットのみを抽出する（Ｓ４）。この場合の常時固定のＰＩＤには、ＰＳＩ中の少なくともプログラム・アソシエーション・テーブル（ＰＡＴ）のパケットを含む。
【００３３】
さらに、｛Ａ３｝ＴＳ転送レート変換部３（パケット記憶／転送制御部１０２）では、常時固定ＰＩＤのパケットのみを含むＴＳを、転送レートを低減させて、デマルチプレクサ部４に出力する（Ｓ５）。
【００３４】
図５は、図１のデジタル放送受信装置の選局処理時のＴＳに含まれるパケットを示す図であり、図５（ａ）がステップＳ５でデマルチプレクサ部４に転送される常時固定ＰＩＤのパケットのみを含むＴＳを示す図である。
【００３５】
図５（ａ）のＴＳには、常時固定値のＰＩＤを有するセクションテーブル、例えば、ＰＡＴ、ＣＡＴ、ＮＩＴ等のパケットのみは含まれているが、常時固定値のＰＩＤではないＰＭＴや番組データのパケットは含まれていない。尚、番組データとは、例えば、映像、音声、字幕、文字スーパー、データ放送等のデータである。
【００３６】
常時固定ＰＩＤのパケットのみを含むＴＳが入力された｛Ａ４｝デマルチプレクサ部４では、その常時固定ＰＩＤのパケットのみのＴＳからＰＡＴを含むパケットを分離させて制御部５に出力する（Ｓ６）。
【００３７】
ＰＡＴを含むパケットが入力された｛Ａ５｝制御部５では、ＰＡＴを含むパケットの内容を解析してプログラムマップテーブル（ＰＭＴ）のパケットのＰＩＤも検出する（Ｓ７）。
【００３８】
｛Ｂ｝選局処理の第２段階として、｛Ｂ１｝ＰＩＤ管理部１１では、検出されたＰＭＴのパケットのＰＩＤを選択ＰＩＤ記憶部１０４に追加記憶させる（Ｓ８）。
【００３９】
すると、｛Ｂ２｝ＴＳ転送レート変換部３（パケットフィルタ部１０１）では、選択ＰＩＤ記憶部１０４に記憶されたＰＭＴのパケットのＰＩＤにより、ＰＳＩ中のＰＭＴのパケットも追加で抽出する（Ｓ９）。
【００４０】
さらに｛Ｂ３｝ＴＳ転送レート変換部３（パケット記憶／転送制御部１０２）では、常時固定ＰＩＤのパケットに加えてＰＭＴのパケットを含むＴＳを、転送レートを低減させて、デマルチプレクサ部４に出力する（Ｓ１０）。
【００４１】
図５（ｂ）は、ステップＳ１０でデマルチプレクサ部４に転送される常時固定ＰＩＤのパケットとＰＭＴのパケットを含むＴＳを示す図である。
図５（ｂ）のＴＳには、常時固定値のＰＩＤを有するセクションテーブル（例えば、ＰＡＴ、ＣＡＴ、ＮＩＴ等）のパケットとＰＭＴのパケットは含まれているが、常時固定値のＰＩＤあるいはＰＭＴではない番組データのパケットは含まれていない。
【００４２】
ＰＭＴのパケットも含むＴＳが入力された｛Ｂ４｝デマルチプレクサ部４では、ＰＭＴのパケットを含むＴＳからＰＭＴのパケットを分離させて出力する（Ｓ１１）。
【００４３】
ＰＭＴを含むパケットが入力された｛Ｂ５｝制御部５では、デマルチプレクサ部４で分離されたＰＭＴのパケットを解析して番組データのパケットのＰＩＤを検出する（Ｓ１２）。
【００４４】
｛Ｃ｝選局処理の第３段階として、｛Ｃ１｝ＰＩＤ管理部１１では、検出された番組データのパケットのＰＩＤを選択ＰＩＤ記憶部１０４に追加記憶させる（Ｓ１３）。
【００４５】
すると、｛Ｃ２｝ＴＳ転送レート変換部３（パケットフィルタ部１０１）では、検出された番組データのパケットのＰＩＤにより、番組データのパケットも抽出する（Ｓ１４）。
【００４６】
さらに｛Ｃ３｝ＴＳ転送レート変換部３（パケット記憶／転送制御部１０２）では、常時固定ＰＩＤのパケット及びＰＭＴのパケットに加えて番組データのパケットを含むＴＳを、転送レートを低減させて、デマルチプレクサ部４に出力する（Ｓ１５）。
【００４７】
図５（ｃ）は、ステップＳ１５でデマルチプレクサ部４に転送される常時固定ＰＩＤのパケットとＰＭＴのパケットと番組データのパケットを含むＴＳを示す図である。
図５（ｃ）のＴＳには、常時固定値のＰＩＤを有するセクションテーブル（例えば、ＰＡＴ、ＣＡＴ、ＮＩＴ等）のパケットとＰＭＴと番組データのパケットが含まれている。この時点では番組を構成する全ての番組データを含むＴＳがデマルチプレクサ部４に入力されることになる。
【００４８】
番組データを含むパケットが入力された｛Ｃ４｝デマルチプレクサ部４では、番組データのパケットを映像パケットと音声パケットに分離させてＭＰＥＧ映像デコーダ部６およびＭＰＥＧ音声デコーダ部７に出力する。ＭＰＥＧ映像デコーダ部６は映像データをデコードして映像信号を出力し、ＭＰＥＧ音声デコーダ部７は音声データをデコードして音声信号を出力する（Ｓ１６）。
【００４９】
このように本実施の形態のデジタル放送受信装置は、上記したようにＴＳ転送レート変換部３で、予め記憶されたＰＩＤにより指定されるパケットを、復調されたＴＳから選別し、その選別されたパケットのみを含むＴＳの転送レートを、低減させて出力することで、例えば選局処理等の各時点でデマルチプレクサの処理に必要なパケットを含むＴＳの転送レートを低減させることができる。
【００５０】
それにより本実施の形態のデジタル放送受信装置では、例えば、複数の異なるＴＳから所望の番組データを同時に取得する場合に、その選局処理中の制御部５（マイクロプロセッサ）及びデマルチプレクサ部４等の演算素子の処理量（処理負荷）を減少（軽減）させることができ、コストが高い高性能な素子を用いないでも、信頼性を損なわずに、複数系統の異なる番組のＴＳから所望の番組データを同時に取得できる。
【００５１】
実施の形態２．
上記した実施の形態１では、選局処理開始時に、ＰＩＤ管理部１１が選択ＰＩＤ記憶部１０４に登録されているＰＩＤをステップＳ１で全てクリアしていた。しかし、選局処理のどの段階でも常時固定値のＰＩＤは必要になるので、ステップＳ３ですぐに選択ＰＩＤ記憶部１０４に常時固定値のＰＩＤを記憶させている。そこで以下に説明する実施の形態２では、選択ＰＩＤ記憶部１０４に常時固定値のＰＩＤを消去不可に記憶させておき、選局処理開始時に、選択ＰＩＤ記憶部１０４に登録されているＰＩＤをクリアする際に、常時固定値のＰＩＤは消去されずに他のＰＩＤのみを消去させる場合について説明する。
【００５２】
図６は、この発明装置の実施形態２におけるデジタル放送受信装置のブロック図である。
図１に示された実施の形態１と図６に示された本実施の形態との主な相違点は、ＴＳ転送レート変換部３ａ及び制御部５ａ内のＰＩＤ管理部１１ａの処理内容が異なる点と、制御部５ａ内の固定ＰＩＤ記憶部１２が消去されている点である。尚、以下の説明では相違点についてのみ記載し、その他の構成は実施の形態１と同様であるので記載を省略する。
【００５３】
ＴＳ転送レート変換部３ａの相違点については、図７を用いて後述する。
制御部５ａの内部では、選局処理前に、予め選択ＰＩＤ記憶部１０４ａに常時固定値のＰＩＤを記憶させておき、選局処理第１段階では、ＰＩＤ管理部１１ａは、その選択ＰＩＤ記憶部１０４ａに記憶された常時固定値のＰＩＤを用いる。以降の処理は実施の形態１と同様であるので記載を省略する。
【００５４】
つまり、実施の形態１では固定ＰＩＤ記憶部１２に記憶されていた常時固定値のＰＩＤは、本実施の形態では予め選択ＰＩＤ記憶部１０４に記憶され、選局開始時にＰＩＤ管理部１１がその選択ＰＩＤ記憶部１０４に予め記憶された常時固定値のＰＩＤを読み出して用いる。その他の処理は実施の形態１と同様である。
【００５５】
図７は、図６に示されるＴＳ転送レート変換部３ａの概略の内部構成を示すブロック図である。
図２に示された実施の形態１のＴＳ転送レート変換部３と図６に示された本実施の形態のＴＳ転送レート変換部３ａとの主な相違点は、選択ＰＩＤ記憶部１０４ａの処理内容が異なる点である。
【００５６】
選択ＰＩＤ記憶部１０４ａは、基本的には、実施の形態１と同様にＴＳ転送レート変換部３のパケットフィルタ部１０１で選別されるパケットを指定するためのＰＩＤを記憶するが、選局処理前に、予め常時固定値のＰＩＤが消去不可であるように記憶される。選択ＰＩＤ記憶部１０４に選局対象の番組によらず常に固定のＰＩＤを記憶させるには、例えば、ＰＩＤ管理部１１を用いれば良いが他の手段を用いても良い。
【００５７】
常時固定値のＰＩＤが消去不可であるように選択ＰＩＤ記憶部１０４ａに記憶させる方法については、任意の書き込み可能な記憶素子の一部の領域に読み出しのみが可能で書き込み（消去）が不可の領域を設けても良いし、書き込み（消去）が不可の領域を別の記憶素子にして構成しても良い。常時固定値のＰＩＤは、実施の形態１に説明したものと同様に、選局対象の番組によらず常に固定のＰＩＤを持つセクションテーブル、例えば、ＰＡＴ、ＣＡＴ、ＮＩＴ等のＰＩＤである。
【００５８】
図８は、図６のデジタル放送受信装置の選局処理を示すフローチャートである。
図４に示された実施の形態１の選局処理のフローチャートと図８に示された本実施の形態の選局処理のフローチャートとの主な相違点は、図８のステップＳ１ａでは、常時固定値のＰＩＤを除いて選択ＰＩＤ記憶部１０４ａに記憶されていたＰＩＤがクリアされ、ステップＳ３ａでは、選択ＰＩＤ記憶部１０４ａに記憶されていた常時固定値のＰＩＤが用いられて、新たに常時固定値のＰＩＤが記憶されるわけではない点である。
【００５９】
本実施の形態では、上記のように選択ＰＩＤ記憶部１０４に常時固定のＰＩＤを消去できないように記憶（登録）させておくので、選局処理の開始時において常時固定のＰＩＤを登録する処理を省くことができる。従って、実施の形態１の効果に加えて、制御部５ａ（マイクロプロセッサ）の処理量を更に低減（処理負荷を軽減）させることができるので、さらにコストが低い素子を、信頼性を損なわずに用いることができる。
【産業上の利用可能性】
【００６０】
本発明は、デジタル放送のチューナを内蔵するテレビジョン受信機であれば、家庭や事務所への据え置き型、車等の移動体搭載型、携帯型の全ての受信機に適用することができ、さらにデジタル放送のチューナを内蔵するＤＶＤレコーダ等の録画装置にも適用することができる。
【図面の簡単な説明】
【００６１】
【図１】この発明装置の実施形態１におけるデジタル放送受信装置のブロック図である。
【図２】図１に示されるＴＳ転送レート変換部３の概略の内部構成を示すブロック図である。
【図３】（ａ）、（ｂ）は、ＴＳ転送レート変換部３内のＴＳの例を示す図である。
【図４】図１のデジタル放送受信装置の選局処理を示すフローチャートである。
【図５】図１のデジタル放送受信装置の選局処理時のＴＳに含まれるパケットを示す図であり、（ａ）が図４のステップＳ５でデマルチプレクサ部４に転送される常時固定ＰＩＤのパケットのみを含むＴＳを示す図であり、（ｂ）が図４のステップＳ１０でデマルチプレクサ部４に転送される常時固定ＰＩＤのパケットとＰＭＴのパケットを含むＴＳを示す図であり、（ｃ）が図４のステップＳ１５でデマルチプレクサ部４に転送される常時固定ＰＩＤのパケットとＰＭＴのパケットと番組データのパケットを含むＴＳを示す図である。
【図６】この発明装置の実施形態２におけるデジタル放送受信装置のブロック図である。
【図７】図６に示されるＴＳ転送レート変換部３ａの概略の内部構成を示すブロック図である。
【図８】図６のデジタル放送受信装置の選局処理を示すフローチャートである。
【符号の説明】
【００６２】
１  アンテナ、  ２  チューナ／復調部、  ３、３ａ  ＴＳ転送レート変換部、  ４  デマルチプレクサ部、  ５、５ａ  制御部、  ６  ＭＰＥＧ映像デコーダ部、  ７  ＭＰＥＧ音声デコーダ部、  １１、１１ａ  ＰＩＤ管理部、  １２  固定ＰＩＤ記憶部、  １０１  パケットフィルタ部、  １０２  パケット記憶／転送制御部、  １０３  転送パケット記憶部、  １０４、１０４ａ  選択ＰＩＤ記憶部。
【図１】
2008004979.tif 000003
【図２】
2008004979.tif 000004
【図３】
2008004979.tif 000005
【図４】
2008004979.tif 000006
【図５】
2008004979.tif 000007
【図６】
2008004979.tif 000008
【図７】
2008004979.tif 000009
【図８】
2008004979.tif 000010